(57)【特許請求の範囲】
【請求項１】
木製の母屋の長手方向の端部を金属製の小屋梁の上面に戴設して接続する母屋と小屋梁との接続構造において、貫通孔を有する縦突片を小屋梁の側面から略直角に突設し、母屋の長手方向の端部にその端部端面及び上下面に開口するスリットを形成すると共にこのスリットを介して母屋の両側面に貫通するピン挿通孔を穿設し、母屋の長手方向の端部の下部に下方に切欠いた凹段部を形成し、この凹段部の角部を小屋梁の上面の側縁である上角部に合わせて母屋の長手方向の端部を小屋梁の上面に戴設し、縦突片をスリットに挿入して貫通孔とピン挿通孔とを連通させ、この連通した貫通孔及びピン挿通孔にピンを圧入して母屋と小屋梁とを接続したことを特徴とする母屋と小屋梁との接続構造。
【発明の詳細な説明】
【０００１】
【発明の属する技術分野】
本発明は、屋根材を支持する小屋組みにあって、母屋の長手方向の端部を小屋梁の上面に載設した状態での母屋と小屋梁との接続構造に関する発明である。
【０００２】
【従来の技術】
従来から、屋根を形成するには、Ｈ形鋼等からなる金属製の小屋梁で構造材となる小屋組みを組み上げ、この小屋梁の上面に木製の母屋を取り付け、この母屋の任意位置に屋根材を打ち付けて固定させることで屋根を施工性よく形成させることが行われている。一般的に母屋は断面矩形状の角柱材で構成されている。そして、この母屋は並設した小屋梁間に架設するような場合もあり、このような場合には図４に示すように、並設した各小屋梁１の各上面に母屋２の長手方向の両端部をそれぞれ載設し、母屋２の長手方向の両端部に穿設した上下に貫通せる固定孔１７と小屋梁１の上面に穿設した固定孔１８とを位置合わせし、この固定孔１７及び固定孔１８にボルト１５を挿通させると共にボルト１５の先端にナット（図示せず）を締結することで、母屋２と小屋梁１との接続が行われていた。なお、図中２’は、必要に応じて小屋梁１の上面に沿って載設される母屋である。
【０００３】
【発明が解決しようとする課題】
ところで、この母屋２と小屋梁１との接続施工作業は高所における施工作業であることから、施工性の良否は施工者への負担の増減に大きく影響を及ぼすものである。上述した母屋２と小屋梁１との接続施工作業では、小屋梁１の上面に載った母屋２が小屋梁１の上面の固定孔１８を覆ってしまうので、施工者には小屋梁１の固定孔１８の位置が見えない状態下での固定孔１７と固定孔１８との位置合わせ作業が強いられるものであり、また、母屋２と小屋梁１との固定を行うボルト１５とナットとの締結作業は両手を使うことが要求されるので、この作業中には施工者は手を使って体勢を支えることはできないのであり、このように母屋２と小屋梁１との接続施工作業は、施工性が悪い上に危険性をも伴うものであって、施工者に大きな負担を強いる施工作業になっていた。したがって、母屋２の小屋梁１への接続施工作業にあってはその施工性の向上が切望されるものであった。
【０００４】
本発明は上記の点に鑑みてなされたものであり、施工性の向上を図り、施工者への負担を軽減できる母屋と小屋梁との接続構造を提供することを課題とするものである。
【０００５】
【課題を解決するための手段】
上記課題を解決するために本発明に係る母屋と小屋梁との接続構造は、木製の母屋２の長手方向の端部を金属製の小屋梁１の上面に戴設して接続する母屋と小屋梁との接続構造において、貫通孔７を有する縦突片３を小屋梁１の側面から略直角に突設し、母屋２の長手方向の端部にその端部端面及び上下面に開口するスリット５を形成すると共にこのスリット５を介して母屋２の両側面に貫通するピン挿通孔８を穿設し、母屋２の長手方向の端部の下部に下方に切欠いた凹段部６を形成し、この凹段部６の角部６ａを小屋梁１の上面の側縁である上角部１ａ2に合わせて母屋２の長手方向の端部を小屋梁１の上面に戴設し、縦突片３をスリット５に挿入して貫通孔７とピン挿通孔８とを連通させ、この連通した貫通孔７及びピン挿通孔８にピン１０を圧入して母屋２と小屋梁１とを接続したことを特徴とする。これによると、母屋２の小屋梁１への位置決め作業は、母屋２の凹段部６の角部６ａを小屋梁１の上角部１ａ2に合わせると共に縦突片３を母屋２のスリット５に挿入することで、正確且つすみやかに行え、また、母屋２の小屋梁１への固定作業は、母屋２のスリット５に縦突片３を挿入した状態で連通する縦突片３の貫通孔７及び母屋２のピン挿通孔８にピン１０を圧入するだけで行えることとなり、母屋２の小屋梁１への接続施工作業の施工性の向上が図られると共に、施工者への負担も軽減できる。
【０００６】
【発明の実施の形態】
以下、本発明を添付図面に示す実施形態に基づいて説明する。
【０００７】
図１乃至図３に本発明の実施の形態の例を示す。
【０００８】
屋根を支える小屋組みにあっては金属製の小屋梁１で組み上げられるものであるが、この小屋組みに屋根材を任意位置で施工性よく取り付けるために、小屋梁１の上面に木製の母屋２を適宜取り付け、この母屋２の任意位置に屋根材を取り付けることが行われている。そして、この母屋２にあっては、母屋２の長手方向の両端部を並設した小屋梁１の上面にそれぞれ載設することによって、並設した小屋梁１の間に母屋２を架設する場合がある。本発明は、上述した小屋梁１間に母屋２を架設した場合における母屋２と小屋梁１との接続構造に関するものである。以下、詳述する。
【０００９】
小屋梁１は金属製の断面略Ｈ形のＨ形鋼が用いられている。つまり、この小屋梁１は、上フランジ片部１ａが上に位置されると共に下フランジ片部１ｂが下に位置され、上フランジ片部１ａと下フランジ片部１ｂとを連結するウェブ部１ｃが略垂直に立設されて形成されている。そして、このウェブ部１ｃには固定孔１１が貫通して穿設されている。
【００１０】
また、母屋２は断面矩形状の木製の角柱材が用いられている。この母屋２の長手方向の両端部の下部には下方に切り欠いた凹段部６がそれぞれ形成されている。なお、この凹段部６は母屋２の幅方向に亙って形成されている。また、この母屋２の長手方向の両端部にあっては、母屋２の幅方向の中央部分に、母屋２の長手方向の端部端面から中央に向って切り込まれたスリット５が形成されている。なお、このスリット５は母屋２の上下に亙るように形成されている。つまり、このスリット５は母屋２の長手方向の端部端面及び上下面に開口している。また、母屋２の長手方向の両端部には、スリット５を通って母屋２の両側面に貫通するピン挿通孔８が設けられている。なお、本例の母屋２には上下高さ寸法が異なる２種類の母屋２が用いられていて、上下高さ寸法が長い母屋２ａには上記ピン挿通孔８は上下の２箇所に形成されており、上下高さ寸法が短い母屋２ｂにはピン挿通孔８は１箇所に形成されている。
【００１１】
上記母屋２は並設した小屋梁１間に架設されるが、本例では小屋梁１のウェブ部１ｃに取り付けた取付補助具４を介して行われる。この取付補助具４は、小屋梁１のウェブ部１ｃの垂直面に沿わせて固定される縦板片１２と、この縦板片１２から略直角に突設した縦突片３とで構成された上面視Ｔ字状の金属部材である。なお、上記縦突片３はその上端位置が縦板片１２に比べて上方に位置するように形成されており、この縦突片３の上部における縦板片１２側の部位には、上方且つ縦板片１２側に切欠いた切り欠き１３が形成されている。この切り欠き１３により縦突片３は正面視で略Ｌ字形状の板片に形成されている。この縦突片３には上下２箇所に貫通孔７が設けられており、また縦板片１２には縦突片３を挟んで左右にそれぞれ固定孔１４が設けられている。
【００１２】
この取付補助具４を小屋梁１に取り付けるには、小屋梁１の上フランジ片部１ａの下方から取付補助具４を近づけ、縦突片３の切り欠き１３の角部１３ａに小屋梁１の上フランジ片部１ａの下面と側縁面とがなす下角部１ａ1を合わせ、縦板片１２を小屋梁１のウェブ部１ｃの垂直面に沿わせ、縦板片１２の固定孔１４とウェブ部１ｃの固定孔１１との位置を合わし、ボルト１５を連通した固定孔１４及び固定孔１１に挿通して締結することで行われる。なお、この取付補助具４の小屋梁１への取り付けは、施工現場ではなく、工場等であらかじめ行われることが好ましい。
【００１３】
この取付補助具４を小屋梁１に取り付けた状態では、取付補助具４の縦突片３が小屋梁１の長手方向に面するように小屋梁１の側面から略直角に突出した状態になる。なお、上記取付補助具４の小屋梁１への取り付けは並設した小屋梁１の対向位置において行われるのであり、このときには、それぞれの取付補助具４の縦突片３が並設した小屋梁１の間で向い合うように突設した状態になる。
【００１４】
取付補助具４を小屋梁１に取り付けた後には、施工現場にて並設した小屋梁１間に母屋２が架設される。これは、まず小屋梁１間の所定位置に母屋２を仮固定し、つぎにこの母屋２を小屋梁１に本固定をすることで行われる。並設した小屋梁１間に母屋２を仮固定するには、対向する１対の取付補助具４の間に上方から母屋２を近づけ、母屋２のスリット５に取付補助具４の縦突片３を挿入し、母屋２の凹段部６の角部６ａを小屋梁１の上フランジ片部１ａの上面と側縁面とがなす上角部１ａ2に合わせ、母屋２の長手方向の両端部を小屋梁１の上フランジ片部１ａの上面にそれぞれ載設することで行われる。つまり、並設した小屋梁１間に架設した母屋２にあっては、１対の上フランジ片部１ａ，１ａが両凹段部６，６に嵌り込むことで、並設した小屋梁１によって挟持されるのであり、並設した小屋梁１間への母屋２の仮固定が行われる。
【００１５】
なお、上述した小屋梁１間への母屋２の仮固定は位置決めを伴った仮固定である。つまり、母屋２のスリット５に取付補助具４の縦突片３を挿入したことで、小屋梁１の長手方向における所定位置に母屋２を正確かつすみやかに配置することができるのであり、また、母屋２の凹段部６の角部６ａに小屋梁１の上フランジ片部１ａの上角部１ａ2を合わせて１対の上フランジ片部１ａで母屋２を挟み込むようにしたことから、小屋梁１の対向方向における所定位置に母屋２を正確かつすみやかに配置することができるのである。そして、上述したように小屋梁１間に母屋２を仮固定したときには、縦突片３の貫通孔７と母屋２のピン挿通孔８とが連通した状態になる。
【００１６】
上述したように仮固定された母屋２は小屋梁１に本固定されるのであるが、これは、連通した貫通孔７及びピン挿通孔８にピン１０を挿入することで行われる。本例ではこのピン１０として、図３に示すように、その外周面に摩擦部９を設けたものを用いている。詳述すると、このピン１０は、ハンマ等の工具で叩かれる頭部１０ａと、ピン挿通孔８や貫通孔７の内径と略同径の軸部１０ｂとで主体が構成されるものであり、この軸部１０ｂの先端部分には先端に行く程軸径が小さくなるテーパ部１６が設けられると共に、この軸部１０ｂの基端部分にはローレット加工で表面が粗くされた摩擦部９が設けられたことに特徴を有したものである。このピン１０を上記ピン挿通孔８や貫通孔７に挿入するには、ハンマ等の工具で頭部１０ａを叩いて上記ピン挿通孔８や貫通孔７に軸部１０ｂを圧入させるようにして行われる。この作業は、まず、片手でピン１０をピン挿通孔８に軽く押し込み、そして、一方の手で体勢を支えると共に他方の手でハンマ等の工具を持って、ピン挿通孔８に軽く刺さったピン１０の頭部１０ａを工具で叩き、ピン１０をピン挿通孔８や貫通孔７に圧入することで行われる。なお、手でピン１０をピン挿通孔８に軽く押し込むのは軸部１０ｂの先端部分にテーパ部１６を設けたことで容易に行うことができ、また、軸部１０ｂをピン挿通孔８に圧入したときには、摩擦部９が木製の母屋２のピン挿通孔８の内周面に食い込むものであって、ピン挿通孔８や貫通孔７からのピン１０の抜けが防止されると共に、縦突片３と母屋２、ひいては小屋梁１と母屋２との固定が強固に行われるのである。
【００１７】
上述したように母屋２の小屋梁１への接続施工は、仮固定における位置決め作業を正確且つすみやかに行うことができ、また、仮固定の後の本固定もピン１０の貫通孔７及びピン挿通孔８への圧入作業により簡単且つすみやかに行うことができることから、母屋２の小屋梁１への接続にかかる施工性は良好なものであり、高所で行われる母屋２と小屋梁１との接続施工における施工者への負担を大幅に軽減することができ、施工スピードのアップや施工ミス発生の低減化を図ることができるのである。
【００１８】
【発明の効果】
上記のように本発明の請求項１記載の発明にあっては、木製の母屋の長手方向の端部を金属製の小屋梁の上面に戴設して接続する母屋と小屋梁との接続構造において、貫通孔を有する縦突片を小屋梁の側面から略直角に突設し、母屋の長手方向の端部にその端部端面及び上下面に開口するスリットを形成すると共にこのスリットを介して母屋の両側面に貫通するピン挿通孔を穿設し、母屋の長手方向の端部の下部に下方に切欠いた凹段部を形成し、この凹段部の角部を小屋梁の上面の側縁である上角部に合わせて母屋の長手方向の端部を小屋梁の上面に戴設し、縦突片をスリットに挿入して貫通孔とピン挿通孔とを連通させ、この連通した貫通孔及びピン挿通孔にピンを圧入して母屋と小屋梁とを接続したので、母屋の小屋梁への位置決め作業は、母屋の凹段部の角部を小屋梁の上角部に合わせると共に、予め小屋梁に取り付けた縦突片を母屋のスリットに挿入することで、正確且つすみやかに行えるものであり、また、母屋の小屋梁への固定作業は、母屋のスリットに縦突片を挿入した状態で連通する縦突片の貫通孔及び母屋のピン挿通孔にピンを圧入するだけで行えるものであり、したがって、母屋の小屋梁への接続施工作業の施工性の向上が図られると共に、施工者への負担も大幅に軽減できるのである。
【図面の簡単な説明】
【図１】本発明の実施の形態の例を示す小屋組みの分解斜視図である。
【図２】同上の小屋梁と母屋との接続部分の側面断面図である。
【図３】同上のピンの正面図である。
【図４】従来技術の小屋組みの分解斜視図である。
【符号の説明】
１  小屋梁
２  母屋
３  縦突片
４  取付補助具
５  スリット
６  凹段部
７  貫通孔
８  ピン挿通孔
９  摩擦部
１０  ピン
１３  切り欠き
【図１】
0003878509.tif 000002
【図２】
0003878509.tif 000003
【図３】
0003878509.tif 000004
【図４】
0003878509.tif 000005